Podtech/llm-jp-corpus-v4-ja_patent huggingface dataset:
【手続補正書】
【提出日】平成28年2月8日(2016.2.8)
【手続補正１】
【補正対象書類名】特許請求の範囲
【補正対象項目名】全文
【補正方法】変更
【補正の内容】
【特許請求の範囲】
【請求項１】
放射ビームを調整するように構成された照明システムと、
レチクルを支持するように構築されたサポート構造であって、前記レチクルを受ける部分を備えるサポート構造と、
前記レチクルを受ける前記部分から離間した放射ビーム整形デバイスであって、前記放射ビーム整形デバイスは前記放射ビームの寸法を制御するための少なくとも１つのレチクルマスキングブレードであり、これにより、前記レチクルを受ける前記部分と前記放射ビーム整形デバイスの前記レチクルマスキングブレードとの間に閉じ込め空間ＣＳが画定される、放射ビーム整形デバイスと、を備え、
前記閉じ込め空間にガスを供給するように位置づけられ、使用中、前記レチクルの表面に平行な方向にガスを注入するように向けられるガス供給出口を有する少なくとも１つのガス供給手段をさらに備える、装置。
【請求項２】
前記装置はリソグラフィ装置であり、該リソグラフィ装置は、基板を保持するように構築された基板テーブルと、前記レチクルにより前記放射ビームに付与されたパターンを前記基板のターゲット部分上に投影するように構成された投影システムと、をさらに備える、
請求項１に記載の装置。
【請求項３】
使用中、前記レチクルマスキングブレードと前記レチクルとの間に閉じ込め空間ＣＳ’が画定され、
前記ガス供給出口は、前記閉じ込め空間ＣＳ’にガスを供給するように位置づけられ、
前記装置は、第１方向に移動するように適合された第１ブレード対と、第２方向に移動するように適合された第２ブレード対と、を備え、前記第１ブレード対は、前記第２ブレード対と比較して前記レチクルに対してより近くに位置づけられ、前記ガス供給出口は、前記第１ブレード対と前記レチクルとの間の前記空間にガスを供給するように位置づけられる、請求項２に記載のリソグラフィ装置。
【請求項４】
使用中、前記レチクルマスキングブレードと前記レチクルとの間に閉じ込め空間ＣＳ’が画定され、
前記ガス供給出口は、前記閉じ込め空間ＣＳ’にガスを供給するように位置づけられ、
前記装置は、第１方向に移動するように適合された第１ブレード対と、第２方向に移動するように適合された第２ブレード対と、を備え、前記第１ブレード対は、前記第２ブレード対と比較して前記レチクルに対してより近くに位置づけられ、前記ガス供給出口は、前記第１ブレード対と前記第２ブレード対との間の前記空間にガスを供給するように位置づけられる、請求項２に記載のリソグラフィ装置。
【請求項５】
前記ガス供給出口は、前記少なくとも１つのレチクルマスキングブレードに対向する前記レチクルの表面から約１０ｍｍ未満の距離に位置づけられる、請求項３または４に記載のリソグラフィ装置。
【請求項６】
複数の前記ガス供給出口を備え、前記ガス供給管は前記レチクルの両側に配置される、請求項３〜５のいずれかに記載のリソグラフィ装置。
【請求項７】
前記レチクルは第１真空環境内に位置づけられ、前記空間から前記第１真空環境へのガス流を制限するように流れ抵抗手段が設けられ、前記照明システムおよび前記投影システムがそれぞれの真空環境内に設けられ、前記レチクルの表面に隣接するガス圧力が前記それぞれの真空環境の圧力より高い、
請求項３〜６に記載のリソグラフィ装置。
【請求項８】
前記それぞれの真空環境を画定するセパレータ手段をさらに備え、前記セパレータ手段は、一端が前記それぞれの真空環境に向かって開放され、別の一端が前記レチクルに向かって開放されたスリーブを有し、前記スリーブが前記レチクルに向かってテーパ状である、
請求項７に記載のリソグラフィ装置。
【請求項９】
前記ガス供給手段は、使用中、前記ガス供給出口が前記レチクルの動きに追従するように、前記レチクルを支持するように構築された前記サポート構造に連結される、請求項１〜８のいずれか１項に記載の装置。
【請求項１０】
照明システムを使用して放射ビームを生成することと、
パターニングデバイスを使用して前記放射ビームにパターン付けすることと、
投影システムを使用して前記パターン付けされた放射ビームを基板上に投影することと、を含む方法であって、
前記パターニングデバイスは、少なくとも１つのレチクルマスキングブレードを有するレチクルを備え、前記レチクルマスキングブレードは前記レチクルと前記レチクルマスキングブレードとの間に空間を画定し、前記方法は前記空間にガスを供給することをさらに含み、前記ガスは、前記レチクルの表面に平行な方向に供給される、方法。
【請求項１１】
前記ガスは、前記レチクルの二辺から供給される、請求項１０に記載の方法。
【請求項１２】
第１ブレード対が第１方向に移動するように適合され、第２ブレード対が第２方向に移動するように適合され、前記第１ブレード対は、前記第２ブレード対と比較して前記レチクルに対してより近くに位置づけられ、前記ガスは、前記第１ブレード対と前記レチクルとの間の前記空間に供給される、請求項１０または１１に記載の方法。
【請求項１３】
第１ブレード対が第１方向に移動するように適合され、第２ブレード対が第２方向に移動するように適合され、前記第１ブレード対は、前記第２ブレード対と比較して前記レチクルに対してより近くに位置づけられ、前記ガスは、前記第１ブレード対と前記第２ブレード対との間の前記空間に供給される、請求項１０または１１に記載の方法。
【請求項１４】
前記レチクルは、第１真空環境内に位置づけられ、前記方法は、前記空間から前記第１真空環境へのガス流を制限することと、前記照明システムおよび前記投影システムをそれぞれの真空環境内に設けることと、前記レチクルの表面に隣接するガス圧力を前記それぞれの真空環境の圧力より高く維持することと、を含む、請求項１０〜１３のいずれかに記載の方法。
【請求項１５】
セパレータ手段を用いて前記それぞれの真空環境を画定することをさらに含み、前記セパレータ手段は、一端が前記それぞれの真空環境に向かって開放され、別の一端が前記レチクルに向かって開放されたスリーブを有する、請求項１０〜１４のいずれかに記載の方法。
【手続補正書】
【提出日】平成28年3月11日(2016.3.11)
【手続補正１】
【補正対象書類名】特許請求の範囲
【補正対象項目名】全文
【補正方法】変更
【補正の内容】
【特許請求の範囲】
【請求項１】
Ａｃ−ＴＭＰ−２（配列番号２）、あるいは、Ａｃ−ＴＭＰ−２の生物学的に活性なフラグメントまたは変異体を有効成分として含有する、対象における炎症の軽減または緩和用の医薬組成物。
【請求項２】
炎症は対象における疾患、障害または症状に伴うものであるか、または疾患、障害または症状により二次的に生じるものである、請求項１に記載の医薬組成物。
【請求項３】
前記疾患、障害および症状のうちの少なくともいずれかはベースライン治療に不応性である、請求項２に記載の医薬組成物。
【請求項４】
前記ベースライン治療は、非ステロイド性抗炎症薬（ＮＳＡＩＤ）、アミノサリチル酸塩、コルチコステロイド、免疫抑制剤、抗サイトカイン／サイトカイン受容体剤、抗生物質、およびこれらの組合せからなる群から選択される少なくとも１つのベースライン作用剤を投与することを含む、請求項３に記載の医薬組成物。
【請求項５】
Ａｃ−ＴＭＰ−２（配列番号２）、またはその生物学的に活性なフラグメントは、少なくとも最初はベースライン治療と併用投与される、請求項３または４に記載の医薬組成物。
【請求項６】
Ａｃ−ＴＭＰ−２（配列番号２）、またはその生物学的に活性なフラグメントは、少なくとも最初は少なくとも１つのベースライン作用剤と併用投与され、前記少なくとも１つのベースライン作用剤は総用量未満で投与される、請求項３または４に記載の医薬組成物。
【請求項７】
Ａｃ−ＴＭＰ−２（配列番号２）、あるいは、Ａｃ−ＴＭＰ−２の生物学的に活性なフラグメントまたは変異体を有効成分として含有する、対象における炎症の予防用の医薬組成物。
【請求項８】
炎症は対象における疾患、障害または症状に伴うものであるか、または疾患、障害または症状により二次的に生じるものである、請求項７に記載の医薬組成物。
【請求項９】
前記疾患、障害および症状のうちの少なくともいずれかは、免疫に関する疾患、障害または症状である、請求項２〜６および８のいずれか一項に記載の医薬組成物。
【請求項１０】
前記免疫に関する疾患、障害または症状は、アジソン病、強直性脊椎炎、セリアック病、慢性炎症性脱髄性多発神経炎（ＣＩＤＰ）、慢性再発性多発性骨髄炎（ＣＲＭＯ）、クローン病、脱髄性神経障害、糸球体腎炎、グッドパスチャー症候群、グレーブス病、ギラン・バレー症候群、橋本脳症、橋本甲状腺炎、低ガンマグロブリン血症、特発性血小板減少性紫斑病（ＩＴＰ）、インスリン依存型糖尿病（１型）、若年性関節炎、川崎病、多発性硬化症、重症筋無力症、心筋梗塞後症候群、原発性胆汁性肝硬変、乾癬、特発性肺線維症、ライター症候群、関節リウマチ、サルコイドーシス、強皮症、シェーグレン症候群、全身性エリテマトーデス（ＳＬＥ）、血小板減少性紫斑病（ＴＴＰ）、潰瘍性大腸炎、脈管炎、白斑、およびウェゲナー肉芽腫症からなる群から選択される、請求項９に記載の医薬組成物。
【請求項１１】
前記疾患は消化管の疾患である、請求項２〜６および８のいずれか一項に記載の医薬組成物。
【請求項１２】
前記疾患は慢性胃炎または炎症性腸疾患である、請求項１１に記載の医薬組成物。
【請求項１３】
前記炎症性腸疾患はクローン病または潰瘍性大腸炎である、請求項１２に記載の医薬組成物。
【請求項１４】
前記疾患は呼吸器系の疾患である、請求項２〜６および８のいずれか一項に記載の医薬組成物。
【請求項１５】
前記疾患は、喘息、肺気腫、慢性気管支炎、および慢性閉塞性肺疾患（ＣＯＰＤ）からなる群から選択される、請求項１４に記載の医薬組成物。
【請求項１６】
Ａｃ−ＴＭＰ−２（配列番号２）、あるいは、Ａｃ−ＴＭＰ−２の生物学的に活性なフラグメントまたは変異体を有効成分として含有する、対象における炎症性腸疾患の予防または治療あるいはこれらの両方のための医薬組成物。
【請求項１７】
前記炎症性腸疾患はクローン病または潰瘍性大腸炎である、請求項１６に記載の医薬組成物。
【請求項１８】
Ａｃ−ＴＭＰ−２（配列番号２）、あるいは、Ａｃ−ＴＭＰ−２の生物学的に活性なフラグメントまたは変異体を有効成分として含有する、対象における喘息の予防または治療あるいはこれらの両方のための医薬組成物。
【請求項１９】
少なくとも１つの追加の作用剤と併用される、請求項１〜１８のいずれか一項に記載の医薬組成物。
【請求項２０】
前記少なくとも１つの追加の作用剤は、非ステロイド性抗炎症薬（ＮＳＡＩＤ）、アミノサリチル酸塩、コルチコステロイド、免疫抑制剤、抗サイトカイン／サイトカイン受容体剤、抗生物質、およびこれらの組合せからなる群から選択される、請求項１９に記載の医薬組成物。
【請求項２１】
対象が哺乳類である、請求項１〜２０のいずれか一項に記載の医薬組成物。
【請求項２２】
前記哺乳類がヒトである、請求項２１に記載の医薬組成物。
【請求項２３】
医薬組成物であって、治療上有効量の（ａ）Ａｃ−ＴＭＰ−２（配列番号２）、あるいは、Ａｃ−ＴＭＰ−２の生物学的に活性なフラグメントまたは変異体、ならびに、薬学的に許容される担体、希釈剤または賦形剤と、（ｂ）非ステロイド性抗炎症薬（ＮＳＡＩＤ）、アミノサリチル酸塩、コルチコステロイド、免疫抑制剤、抗サイトカイン／サイトカイン受容体剤、抗生物質、およびこれらの組合せからなる群から選択される少なくとも１つの追加の作用剤とを含む医薬組成物。
【手続補正書】
【提出日】平成28年2月26日(2016.2.26)
【手続補正１】
【補正対象書類名】特許請求の範囲
【補正対象項目名】全文
【補正方法】変更
【補正の内容】
【特許請求の範囲】
【請求項１】
ある位置において、バチルス種（Bacillus sp.）、エルウィニア種（Erwinia sp.）、ストレプトマイセス種（Streptomyce sp.）、ボトリチス種（Botrytis sp.）、キサントモナス種（Xanthomonas sp.）、又はスファエロテカ種（Sphaerotheca sp.）を含む植物病原性微生物の１種以上を調節する方法であって、
前記植物病原性微生物を調節するのに効果的な量の、シュードモナス（Pseudomonas）ＡＴＣＣ ５５７９９発酵由来の細胞懸濁液、上澄み、ろ液、細胞画分、又は全細胞ブロスを、前記位置に導入するステップを含む前記方法。
【請求項２】
前記細胞懸濁液、上澄み、ろ液、細胞画分、又は全細胞ブロスは、植物へ適用される、請求項１に記載の方法。
【請求項３】
前記細胞懸濁液、上澄み、ろ液、細胞画分、又は全細胞ブロスは、種子へ適用される、請求項１に記載の方法。
【請求項４】
前記細胞懸濁液、上澄み、ろ液、細胞画分、又は全細胞ブロスは、土壌へ適用される、請求項１に記載の方法。
【請求項５】
前記方法は、別の抗菌剤を適用するステップをさらに含む、請求項１に記載の方法。
【請求項６】
前記抗菌剤は、１種以上のアミノ配糖体抗生物質を含む、請求項５に記載の方法。
【請求項７】
前記植物病原性微生物は、バチルス・サブチルス（Bacillus subtilus）、バチルス・セレウス（Bacillus cereus）、キサントモナス・キャンペストリス（Xanthomonas campestris）、ブドウ斑点細菌病菌（Xanthomonas arboricola）、キサントモナス・ヴェシカトリア（Xanthomonas vesicatoria）、ストレプトマイセス・スカビエ（Streptomyces scabie）、ボトリチス・キネレア（Botrytis cinerea）、エルウィニア・カロトヴォラ（Erwinia carotovora）、又はスファエロテカ・フリギネア（Sphaerotheca fulginea）を含む、請求項１に記載の方法。
【手続補正書】
【提出日】平成28年2月15日(2016.2.15)
【手続補正１】
【補正対象書類名】特許請求の範囲
【補正対象項目名】全文
【補正方法】変更
【補正の内容】
【特許請求の範囲】
【請求項１】
水平方向に延び、且つ、上軌条（３）及び下軌条（４）を有するトラス梁として設計された少なくとも１つのクレーンガーダー（２）、を備え、昇降ギアを有するクレーントロリー（９）が当該ガーダー上で移動可能とされた、クレーン（１ａ、１ｂ）であって、前記クレーンガーダー（２）は、対向する２つの端部の少なくとも一方にアダプター（１２）を備えており、当該アダプターには走行機構（７、８）が取り付けられており、前記アダプター（１２）は、前記上軌条（３）及び下軌条（４）上で、前記上軌条（３）及び下軌条（４）に対して所望の位置に位置合わせされているとともに、前記アダプター（１２）は前記上軌条（３）及び下軌条（４）に溶接されており、前記アダプター（１２）は、前記走行機構（７、８）に取り付けるための連結プレート（１２ａ）と、前記上軌条（３）に取り付けるためのヘッドプレート（１２ｂ）と、前記下軌条（４）に取り付けるためのアダプター壁（１２ｅ）とを備え、前記アダプター壁（１２ｅ）は前記ヘッドプレート（１２ｂ）に取り付けられており、前記ヘッドプレート（１２ｂ）は、前記クレーンガーダー（２）の前記上軌条（３）上に水平に配置され且つ前記所望の位置で前記上軌条（３）に溶接されており、前記アダプター壁（１２ｅ）は、前記下軌条（４）の辺りで終結し、前記所望の位置で前記下軌条（４）に溶接されている、クレーン。
【請求項２】
前記アダプター（１２）は、少なくとも前記クレーンガーダー（２）の長手方向（ＬＲ）において、前記上軌条（３）及び前記下軌条（４）に対して位置合わせすることができる、請求項１に記載のクレーン（１ａ、１ｂ）。
【請求項３】
前記クレーンガーダー（２）は、前記対向する２つの端部のそれぞれに、前記アダプター（１２）を備える、請求項１又は２に記載のクレーン（１ａ、１ｂ）。
【請求項４】
前記ヘッドプレート（１２ｂ）には、互いに平行に延び且つ互いに離間する２つのアダプター壁（１２ｅ）が配置されている、請求項１〜３のいずれか１つに記載のクレーン（１ａ、１ｂ）。
【請求項５】
前記連結プレート（１２ａ）は、前記ヘッドプレート（１２ｂ）及び前記アダプター壁（１２ｅ）に当接しており、前記所望の位置に溶接されている、請求項１〜４のいずれか１つに記載のクレーン（１ａ、１ｂ）。
【請求項６】
走行機構（７、８）を、前記連結プレート（１２ａ）に設けられたに穴（１２ｄ）を用いて、各アダプター（１２）に取り付けることができる、請求項１〜５のいずれか１つに記載のクレーン（１ａ、１ｂ）。
【請求項７】
水平方向に長さ（Ｌ）を有して延び、且つ、上軌条（３）及び下軌条（４）を有するトラス梁として設計された、クレーン（１ａ、１ｂ）用のクレーンガーダー（２）の組み立て方法であって、昇降ギアを有するクレーントロリー（９）が当該クレーンガーダー上で移動可能とされており、前記クレーンガーダー（２）のトラス構造は、１つの組み立て工程で作製され、さらなる組み立て工程において、走行機構（７、８）を取り付けるためのアダプター（１２）を、前記クレーンガーダー（２）の対向する２つの端部の少なくとも一方に配置し、前記上軌条（３）及び下軌条（４）に対して位置合わせし、次に、前記アダプター（１２）を、前記上軌条（３）及び下軌条（３）の所望位置に溶接し、前記アダプター（１２）の前記上軌条（３）及び下軌条（４）対する位置合わせは、前記クレーンガーダー（２）の少なくとも長手方向（ＬＲ）において行い、前記アダプター（１２）は、ヘッドプレート（１２ｂ）に取り付けられたアダプター壁（１２ｅ）を備えており、前記クレーンガーダー（２）の前記上軌条（３）上に水平に配置された前記ヘッドプレート（１２ｂ）を、記上軌条（３）の所望の位置に位置合わせ及び溶接し、前記下軌条（４）の辺りで終結する前記アダプター壁（１２ｅ）を、前記下軌条（４）の所望の位置に位置合わせ及び溶接する、方法。
【請求項８】
連結プレート（１２ａ）を、前記ヘッドプレート（１２ｂ）及び前記アダプター壁（１２ｅ）の所望の位置に位置合わせ及び溶接する、請求項７に記載の方法。
【手続補正書】
【提出日】平成28年3月14日(2016.3.14)
【手続補正１】
【補正対象書類名】特許請求の範囲
【補正対象項目名】全文
【補正方法】変更
【補正の内容】
【特許請求の範囲】
【請求項１】
その基部（１１，１２）において上顎犬歯に固定されるようになされた近心要素（１０）と、その基部（２１）において上顎臼歯に固定されるようになされた遠心要素（２０）と、前記遠心要素（２０）を前記近心要素（１０）に連結するアーム（１３）と、を含み、前記アーム（１３）が前記アームの一端に球状部材（１４）を有し、前記遠心要素が前記球状部材（１４）を受けるための受容部（２２）を有する歯牙移動装置の組立方法において、
前記球状部材を実質的に変形させずに導入できる大きさの前記受容部（２２）の開口部（２５）を有する前記遠心要素を提供するステップと、
前記球状部材（１４）を有する前記アーム（１３）を提供するステップと、
前記球状部材（１４）を前記受容部に導入するステップと、
前記受容部の前記開口部（２５）を縮小するステップと、
を含むことを特徴とする方法。
【請求項２】
請求項１に記載の方法において、
前記受容部の前記開口部を縮小するステップが、前記受容部の縁を可塑的に変形させて前記受容部の前記開口部を縮小するステップを含むことを特徴とする方法。
【請求項３】
請求項２に記載の方法において、
前記受容部（２２）の前記開口部は少なくとも部分的にフランジ（２６）によって範囲が定められ、前記受容部を可塑的に変形させるステップが、前記フランジ（２６）を、それを内側に押し込むことによって変形させるステップを含むことを特徴とする方法。
【請求項４】
請求項３に記載の方法において、
前記フランジが実質的に前記受容部の前記開口部の上側部分に位置付けられることを特徴とする方法。
【請求項５】
請求項２に記載の方法において、
前記受容部を可塑的に変形させるステップが、前記受容部の前記縁を局所的に変形させるステップを含むことを特徴とする方法。
【請求項６】
請求項２乃至５の何れか１項に記載の方法において、
前記受容部の前記縁を可塑的に変形させるステップが打ち抜き加工、押し抜き加工、または印圧加工の少なくとも１つを含むことを特徴とする方法。
【請求項７】
請求項２乃至６の何れか１項に記載の方法において、
前記受容部の前記縁を可塑的に変形させるステップが前記縁を加熱するステップを含むことを特徴とする方法。
【請求項８】
請求項１に記載の方法において、
前記受容部の前記開口部を縮小するステップが、前記受容部の前記縁に別の縁要素（３６）を追加するステップを含むことを特徴とする方法。
【請求項９】
請求項８に記載の方法において、
前記別の縁要素を追加するステップが、化学結合または溶接を含むことを特徴とする方法。
【請求項１０】
請求項１乃至９の何れか１項に記載の方法において、
前記球状部材（１４）が、２つの直径方向に反対の平面を有する実質的に球形であり、前記遠心要素の前記受容部が、前記球状部材の形状と相補的な形状を有することを特徴とする方法。
【請求項１１】
請求項１乃至９の何れか１項に記載の方法において、
前記球状部材（１４）が実質的に球形であり、前記遠心要素の前記受容部が、前記球状部材の形状と実質的に相補的な形状を有することを特徴とする方法。
【請求項１２】
請求項１乃至８の何れか１項に記載の方法において、
前記歯牙移動装置が金属もしくはポリマーまたはそれらの両方で製作されることを特徴とする方法。
【請求項１３】
請求項１乃至１２の何れか１項に記載の方法において、
前記アーム（１３）が前記近心要素（１０）と一体に形成されることを特徴とする方法。
【請求項１４】
請求項１乃至１３の何れか１項に記載の方法において、
前記遠心要素を提供するステップと前記近心要素を提供するステップが、前記遠心要素を成形するステップおよび／または前記近心要素を成形するステップを含むことを特徴とする方法。
【請求項１５】
請求項１に記載の方法により得られる歯牙移動装置。
【手続補正書】
【提出日】平成28年3月1日(2016.3.1)
【手続補正１】
【補正対象書類名】特許請求の範囲
【補正対象項目名】全文
【補正方法】変更
【補正の内容】
【特許請求の範囲】
【請求項１】
骨の中にピンを配置するためのピン配置器具であって、
所定の位置で骨を中に受け入れるために当該ピン配置器具の側方に開かれているフックのような部分を有する解剖学的接触面と、
該解剖学的接触面に接続され、当該ピン配置器具の長手方向に少なくとも１つのガイドスロットを形成するドリルガイドであって、少なくとも１つの前記ガイドスロットが、該ガイドスロットの全長に亘り当該ドリルガイド内に側方開口部を有し、前記骨の中に配置された前記ピンを前記側方開口部から通過させて、前記側方への当該ピン配置器具の側方引き出しを可能とするドリルガイドと、
前記長手方向に所定のはめあいで前記ガイドスロット内に取り外し可能に配置された少なくとも１つのブッシュであって、前記ブッシュがピン配置のため前記ガイドスロット内にあるときに、前記ガイドスロットと共に配列された貫通穴を形成し、且つ、前記長手方向に延びる前記ピンを受け入れるように構成されたブッシュと、を具備するピン配置器具。
【請求項２】
前記ドリルガイドが、２つの前記ガイドスロットを具備する請求項１に記載のピン配置器具。
【請求項３】
２つの前記ガイドスロットが互いに平行である請求項２に記載のピン配置器具。
【請求項４】
少なくとも１つの前記ブッシュが、前記ガイドスロット内に配置されたときに、前記長手方向への移動を制限するための突き合わせ端部を有する請求項１から３のいずれか一項に記載のピン配置器具。
【請求項５】
前記ドリルガイド内に、遠位操作のためのハンドルを受け入れるように構成されたソケットを更に具備する請求項１から４のいずれか一項に記載のピン配置器具。
【請求項６】
前記ガイドスロット及び前記ブッシュのそれぞれの組のための少なくとも１つの前記ピンを更に具備し、前記ブッシュが、前記ピンにスライド係合されている請求項１から５のいずれか一項に記載のピン配置器具。
【請求項７】
前記フックのような部分の表面が、概して前記長手方向に対して横断する請求項１から６のいずれか一項に記載のピン配置器具。
【請求項８】
前記フックのような部分が、患者の解剖学的モデルに基づいた少なくとも１つの患者特有の表面を有する請求項１から７のいずれか一項に記載のピン配置器具。
【請求項９】
患者の前記解剖学的モデルが、肩甲骨の解剖学的モデルであり、少なくとも１つの前記患者特有の表面が、肩甲骨ヘッド及び関節窩ネックの少なくとも一方の形状に対して相補的である請求項８に記載のピン配置器具。
【請求項１０】
少なくとも１つの前記ガイドスロットが、インプラントの所定の中心、烏口と共に配列される関節窩縁に隣接した位置、及び、前記烏口のベースの少なくとも１つと共に長手方向に配列された請求項９に記載のピン配置器具。
【手続補正書】
【提出日】平成28年8月29日(2016.8.29)
【手続補正１】
【補正対象書類名】特許請求の範囲
【補正対象項目名】全文
【補正方法】変更
【補正の内容】
【特許請求の範囲】
【請求項１】
液体濃厚製剤であって、以下：
a)製剤の総重量基準で0.5〜30wt%の、式I：
【化１】
2015511595.tif 000001
で表される化合物、
b)製剤の総重量基準で3〜50wt%の、プロピレングリコール、
c)製剤の総重量基準で20〜85wt%の、式(A)：
Ra-O-(CmH2mO)x-(CnH2nO)y-(CpH2pO)z-Rb (A)
(式中、
Raは、C8〜C36-アルキル、C8〜C36-アルケニルまたはそれらの混合物を表し;
Rbは、HまたはC1〜C12-アルキルを表し；
m、n、pは、互いに独立して、2〜16の整数を表し；
x、y、zは、互いに独立して、0〜50の数を表し；且つ
x+y+zは、2〜50の値に対応する)
で表される少なくとも1種のアルコキシル化脂肪族アルコール、
d)製剤の総重量基準で1〜50wt%の、少なくとも1種のC2〜C4-アルキレンカーボネート、および
e)製剤の総重量基準で0.5〜20wt%の、該アルコキシル化脂肪族アルコールAとは異なる少なくとも1種の非イオン性界面活性剤S
を含み、ここで成分a)、b)、c)、d)およびe)の総計が製剤の全量の少なくとも90wt%になる、前記製剤。
【請求項２】
製剤の総重量基準で1〜20wt%の量で非イオン性界面活性剤Sを含み、ここで該非イオン性界面活性剤Sが、少なくとも1種のオリゴ-C2〜C3-アルキレンオキシドジスチリルフェニルエーテルまたはオリゴ-C2〜C3-アルキレンオキシドトリスチリルフェニルエーテルである、請求項１に記載の製剤。
【請求項３】
式(A)中のRaが、直鎖C14〜C36-アルキル、C14〜C36-アルケニルまたはそれらの混合物を表す、請求項１または２に記載の製剤。
【請求項４】
式(A)中の変数m、n、pが、互いに独立して、2〜5の整数、特に整数2または3を表す、請求項１〜３のいずれか1項に記載の製剤。
【請求項５】
式(A)中の変数x、yおよびzの合計x+y+zが、値5〜50、特に値10〜30に対応する、請求項１〜４のいずれか1項に記載の製剤。
【請求項６】
C2〜C4-アルキレンカーボネートが、プロピレンカーボネートである、請求項１〜５のいずれか1項に記載の製剤。
【請求項７】
請求項１〜６のいずれか1項に記載の製剤であって、
a)製剤の総重量基準で1〜10wt%の式Iの化合物；
b)製剤の総重量基準で10〜40wt%のプロピレングリコール、
c)製剤の総重量基準で30〜80wt%の少なくとも1種の式(A)のアルコキシル化脂肪族アルコール；
d)製剤の総重量基準で1.5〜40wt%の少なくとも1種のC2〜C4-アルキレンカーボネート；および
e)製剤の総重量基準で1〜10wt%の少なくとも1種の非イオン性界面活性剤S
を含む、前記製剤。
【請求項８】
水溶性液体濃縮液の形態で製剤化されている、請求項１〜７のいずれか1項に記載の製剤。
【請求項９】
請求項１〜８のいずれか1項に記載の製剤を水で希釈することによって得られる即時使用可能な水性調製物。
【請求項１０】
植物、または該植物が生育している土壌もしくは水を、殺有害生物有効量の、請求項１〜８のいずれか1項に記載の製剤または請求項９に記載の即時使用可能な調製物と接触させることを含んでなる、植物を無脊椎有害生物による攻撃または侵入から保護する方法。
【請求項１１】
無脊椎有害生物またはそれらの餌供給源、生息地、繁殖地またはそれらの居場所を、殺有害生物有効量の、請求項１〜８のいずれか1項に記載の製剤または請求項９に記載の即時使用可能な調製物と接触させることを含んでなる、該有害生物を防除する方法。
【請求項１２】
植物繁殖材料を、殺有害生物有効量の、請求項１〜８のいずれか1項に記載の製剤または請求項９に記載の即時使用可能な調製物と接触させることを含んでなる、該植物繁殖材料を無脊椎有害生物から保護する方法。
【請求項１３】
請求項１〜８のいずれか1項に記載の製剤を含む種子。
【請求項１４】
無脊椎有害生物を駆除または防除するための、請求項１〜８のいずれか1項に記載の製剤または請求項９に記載の即時使用可能な調製物の使用。
【請求項１５】
生育している植物を、無脊椎有害生物による攻撃または侵入から保護するための、請求項１〜８のいずれか1項に記載の製剤または請求項９に記載の即時使用可能な調製物の使用。
【手続補正２】
【補正対象書類名】明細書
【補正対象項目名】００１０
【補正方法】変更
【補正の内容】
【００１０】
従って、本発明は、液体濃厚製剤であって、以下：
a)製剤の総重量基準で0.5〜30wt%の、式Iで表される化合物、
b)製剤の総重量基準で3〜50wt%の、プロピレングリコール、
c)製剤の総重量基準で20〜85wt%の、式(A)：
Ra-O-(CmH2mO)x-(CnH2nO)y-(CpH2pO)z-Rb (A)
(式中、
Raは、C8〜C36-アルキル、C8〜C36-アルケニルまたはそれらの混合物を表し;
Rbは、HまたはC1〜C12-アルキルを表し；
m、n、pは、互いに独立して、2〜16の整数を表し；
x、y、zは、互いに独立して、0〜50の数を表し；且つ
x+y+zは、2〜50の値に対応する)
で表される少なくとも1種のアルコキシル化脂肪族アルコール、
d)製剤の総重量基準で1〜50wt%の、少なくとも1種のC2〜C4-アルキレンカーボネート、および
e)製剤の総重量基準で0.5〜20wt%の、該アルコキシル化脂肪族アルコールAとは異なる少なくとも1種の非イオン性界面活性剤S
を含み、ここで成分a)、b)、c)、d)およびe)の総計が製剤の総重量の少なくとも90wt%になる、前記製剤を提供する。
【手続補正書】
【提出日】平成28年1月25日(2016.1.25)
【手続補正１】
【補正対象書類名】特許請求の範囲
【補正対象項目名】全文
【補正方法】変更
【補正の内容】
【特許請求の範囲】
【請求項１】
モバイル無線機器の構成要素を適応的に管理する方法であって、
周波数帯域内の１つ以上の高周波フィルタ構成要素の１つ以上の性能メトリックをサンプリング処理であって、前記周波数帯域は複数の周波数幅を含み、前記１つ以上の性能メトリックの個々のものは前記複数の周波数幅のそれぞれの個々のものに関連付けられるようにする前記サンプリング処理と、
前記サンプリングされた１つ以上の性能メトリックに少なくとも一部基づき、統合された性能メトリックを割り出す処理と、
前記統合された性能メトリックに基づき送信電力を調整する処理と、
を含む、方法。
【請求項２】
前記統合された性能メトリックを割り出す処理が、前記１つ以上の性能メトリックの加重平均を割り出すことを含み、
前記加重平均は、複数の静的重みに基づく、
ことを特徴とする請求項１に記載の方法。
【請求項３】
前記統合された性能メトリックを割り出す処理が、前記１つ以上の性能メトリックの加重平均を割り出すことを含み、
前記加重平均は、複数の動的に加えられた重みに基づく、
ことを特徴とする請求項１に記載の方法。
【請求項４】
前記１つ以上の性能メトリックをサンプリングする処理が、或る温度範囲にわたり追加的に実行される、請求項３に記載の方法。
【請求項５】
前記１つ以上の性能メトリックが、不必要な周波数を除去するために、前記１つ以上の高周波フィルタ構成要素の最大電力低減値に基づく相対的効力を含む、請求項１に記載の方法。
【請求項６】
前記効力が、（ｉ）挿入損失、（ｉｉ）阻止帯域幅、（ｉｉｉ）ロールオフの傾き、及び（ｉｖ）阻止帯域除去のうちの１つ以上に基づき割り出される、請求項５に記載の方法。
【請求項７】
前記１つ以上の性能メトリックの各々が、前記複数の周波数幅の各々に関連付けられた帯域外除去値を含む、請求項５に記載の方法。
【請求項８】
前記１つ以上の性能メトリックをサンプリングする処理が、
前記モバイル無線機器の送受信機の温度を割り出すことと、及び
前記温度に関連付けられるフィルタ帯域幅パラメータのシフトを割り出すことと、
を含む、請求項１に記載の方法。
【請求項９】
前記統合された性能メトリックが周波数線形平均帯域外除去を含む、請求項１に記載の方法。
【請求項１０】
１つ以上の性能メトリックが、（ｉ）フィルタ阻止帯域除去、（ｉｉ）送信電力、及び／又は（ｉｉｉ）フィルタ帯域幅のうちの１つ以上を含む、請求項１に記載の方法。
【請求項１１】
前記統合された性能メトリックが、（ｉ）前記周波数帯域にわたって測定された電力損失の平均レベル、又は（ｉｉ）電力損失のパーセンテージのうちのいずれかを含む、請求項１に記載の方法。
【請求項１２】
前記統合された性能メトリックが、（ｉ）平均値、（ｉｉ）標準偏差値、（ｉｉｉ）中央値、（ｉｖ）パーセンタイル値、及び（ｖ）最小２乗回帰係数からなるグループから選択される１つ以上の統計パラメータに基づく、請求項１に記載の方法。
【請求項１３】
無線機器であって、
処理装置と、
前記処理装置と通信する無線送受信機と、
前記処理装置と通信するコンピュータ可読装置であって、前記コンピュータ可読装置上に記憶された複数のコンピュータ可読命令を有するコンピュータ可読装置と、を備え
前記命令は、前記処理装置上で、
周波数帯域内の１つ以上の高周波フィルタ構成要素の１つ以上の性能メトリックをサンプリングするよう構成され、前記周波数帯域は複数の周波数幅を含み、前記１つ以上の性能メトリックの各々は前記複数の周波数幅の各々に関連付けられ、
前記サンプリングされた１以上の性能メトリックの少なくとも一部に基づき、統合された性能メトリックを割り出し、
前記統合された性能メトリックに基づき送信電力を調整する、
ように指示する、無線機器。
【請求項１４】
前記統合された性能メトリックを割り出すことが、前記１つ以上の性能メトリックの加重平均を割り出すことを少なくとも含み、
前記加重平均は、複数の静的重みに基づく、
ことを特徴とする請求項１３に記載のモバイル機器。
【請求項１５】
前記統合された性能メトリックを割り出すことが、前記１つ以上の性能メトリックの加重平均を割り出すことを少なくとも含み、
前記加重平均は、複数の動的に加えられた重みに基づく、
ことを特徴とする請求項１３に記載のモバイル機器。
【請求項１６】
前記１つ以上の性能メトリックをサンプリングすることが、或る温度範囲にわたり前記１つ以上の性能メトリックのサンプリングを実行することを含む、請求項１５に記載のモバイル機器。
【請求項１７】
前記１つ以上の性能メトリックが、不必要な周波数を除去するために、前記１つ以上の高周波フィルタ構成要素の効力を含む、請求項１３に記載のモバイル機器。
【請求項１８】
前記効力が、（ｉ）挿入損失、（ｉｉ）阻止帯域幅、（ｉｉｉ）ロールオフの傾き、及び（ｉｖ）阻止帯域除去のうちの１つ以上に基づき割り出される、請求項１７に記載のモバイル機器。
【請求項１９】
前記１つ以上の性能メトリックの各々が、前記複数の周波数幅の各々に関連付けられた帯域外除去値を含む、請求項１７に記載のモバイル機器。
【請求項２０】
前記１つ以上の性能メトリックをサンプリングすることが、
前記モバイル無線機器の送受信機の温度を割り出すこと、
前記温度に関連付けられるフィルタ帯域幅パラメータのシフトを割り出すこと、
を少なくとも含む、請求項１３に記載のモバイル機器。
【手続補正書】
【提出日】平成28年1月13日(2016.1.13)
【手続補正１】
【補正対象書類名】特許請求の範囲
【補正対象項目名】全文
【補正方法】変更
【補正の内容】
【特許請求の範囲】
【請求項１】
コード化ビデオコンテンツの複数のスライスを取得することと、
ビデオストリームの複数のアクセス単位内にコード化ビデオコンテンツの前記複数のスライスをカプセル化することと、
前記ビデオストリームと関連付けられる複数のストリーム特性を取得することと、前記複数のストリーム特性は前記ビデオストリームと関連する空間解像度と前記ビデオストリームと関連するフレームレートを含む、
ファイルトラックのサンプル記述内に前記複数のストリーム特性の１つ以上をカプセル化することと、を備える、コード化ビデオコンテンツを含むビデオファイルを生成する方法において、
ファイルトラックのサンプル記述内に前記複数のストリーム特性の１つ以上をカプセル化することは任意のシーケンスパラメータセットの前記カプセル化から独立してデコーダ構成記録内に前記ストリーム特性の１つ以上をカプセル化することを備えることを特徴とする、方法。
【請求項２】
前記デコーダ構成記録が更に、タイルのセットによって覆われる幾何学的領域を示す情報を含む、請求項１に記載の方法。
【請求項３】
前記デコーダ構成記録が更に、コード化ビデオコンテンツの前記スライスのビット深度値を含む、請求項１に記載の方法。
【請求項４】
ビデオストリームを含んだコード化ビデオコンテンツの複数のスライスを含むファイルトラックを取得することと、
前記ファイルトラックのサンプル記述から前記ビデオストリームと関連付けられる複数のストリーム特性を取得することと、を備える、コード化ビデオコンテンツを含むビデオファイルを処理する方法において、
前記ファイルトラックのサンプル記述から前記ビデオストリームと関連する複数のストリーム特性を取得することは、任意のシーケンスパラメータセットから独立して、デコーダ構成記録から前記１つ以上のストリーム特性を取得することを含み、前記ストリーム特性が、前記ビデオストリームのフレームレートと空間解像度の少なくとも１つを含む、ことを特徴とする、方法。
【請求項５】
前記デコーダ構成記録が更に、タイルのセットによって覆われる幾何学的領域を示す情報を含む、請求項４に記載の方法。
【請求項６】
前記デコーダ構成記録が更に、コード化ビデオコンテンツの前記スライスのビット深度値を含む、請求項４に記載の方法。
【請求項７】
命令を記憶したコンピュータ可読記憶媒体であって、前記命令が、実行されると、ビデオコード化装置の１つ以上のプロセッサに、請求項１乃至６のいずれか１項に記載の方法を実行させる、コンピュータ可読記憶媒体。
【請求項８】
コード化ビデオコンテンツの複数のスライスを取得するための手段と、
ビデオストリームの複数のアクセス単位内にコード化ビデオコンテンツの前記複数のスライスをカプセル化するための手段と、
前記ビデオストリームと関連付けられる複数のストリーム特性を取得するための手段と、
ファイルトラックのサンプル記述内に前記複数のストリーム特性の１つ以上をカプセル化するための手段とを備える、コード化ビデオコンテンツを含むビデオファイルを生成するように構成される装置において、
ファイルトラックのサンプル記述内に前記複数のストリーム特性の１つ以上をカプセル化するための前記手段は、任意のシーケンスパラメータセットの前記カプセル化から独立してデコーダ構成記録内に前記ストリーム特性の前記１オつ以上をカプセル化するように構成され、前記複数のストリーム特性は前記ビデオストリームと関連する空間解像度及び前記ビデオストリームと関連するフレームレートの少なくとも１つを含むことを特徴とする、装置。
【請求項９】
ビデオストリームに含まれるコード化ビデオコンテンツの複数のスライスを含むファイルトラックを取得するための手段と、
前記ファイルトラックのサンプル記述から前記ビデオストリームと関連付けられる複数のストリーム特性を取得するための手段と、を備える、コード化ビデオコンテンツを含むビデオファイルを処理するように構成される装置において、
前記ファイルトラックのサンプル記述から前記ビデオストリームと関連する複数のストリーム特性を取得することは、任意のシーケンスパラメータセットから独立して、デコーダ構成記録から前記１つ以上のストリーム特性を取得することを備え、前記ストリーム特性が、前記ビデオストリームのフレームレートと空間解像度の少なくとも１つを含むことを特徴とする、装置。
【手続補正書】
【提出日】平成28年1月13日(2016.1.13)
【手続補正１】
【補正対象書類名】特許請求の範囲
【補正対象項目名】全文
【補正方法】変更
【補正の内容】
【特許請求の範囲】
【請求項１】
コード化ビデオコンテンツの複数のスライスを取得することと、
ビデオコンテンツの前記複数のスライスと関連付けられる第１のタイプの第１の複数のパラメータセット及びビデオコンテンツの前記複数のスライスと関連する第２のタイプの第２の複数のパラメータセットを取得することと、
ビデオストリームの複数のアクセス単位内にコード化ビデオコンテンツの前記複数のスライスをカプセル化することと、
ファイルトラック中の複数のサンプル内に前記複数のアクセス単位をカプセル化することと、
前記第１の複数のパラメータセットをカプセル化することと、
前記ファイルトラックのサンプル記述内に前記第２の複数のパラメータセットをカプセル化することと、
を備える、コード化ビデオコンテンツを含むビデオファイルを生成する方法において、
前記複数のサンプル内の前記第１の複数のパラメータセットをカプセル化すること及び前記第２の複数のパラメータセットの帯域外送信をサポートしながら前記第１の複数のパラメータの帯域内送信をサポートするために前記ファイルトラックのサンプル記述内の前記複数のパラメータセットをカプセル化することを特徴とする、方法。
【請求項２】
複数のサンプルを含むファイルトラックを取得することと、
前記ファイルトラック中のビデオストリームの前記複数のサンプルから複数のアクセス単位を逆カプセル化することと、
前記複数のアクセス単位からコード化されたビデオコンテンツの複数のスライスを逆カプセル化することと、
ビデオコンテンツの前記複数のスライスと関連する第１のタイプの第１の複数のパラメターセットを逆カプセル化することと、
ビデオコンテンツの前記複数のスライスと関連する第２のタイプの第２の複数のパラメータセットを逆カプセル化することとを備える、コード化ビデオコンテンツを含むビデオファイルを処理する方法において、
前記複数のサンプルから前記第１の複数のパラメータセットを逆カプセル化することと、前記第２の複数のパラメータセットの帯域外送信をサポートしながら前記第１の複数のパラメータセットの帯域内送信をサポートするために前記ファイルトラックのサンプル記述から前記第２の複数のパラメータセットを逆カプセル化することを特徴とする、方法。
【請求項３】
前記第１のタイプがピクチャパラメータセット（ＰＰＳ）であり、前記第２のタイプがシーケンスパラメータセット（ＳＰＳ）である、請求項１又は２に記載の方法。
【請求項４】
前記サンプル記述が、前記サンプル記述内に記憶された前記第２のタイプのパラメータセットの数を特定するインジケータを含む、請求項１又は２に記載の方法。
【請求項５】
前記第２の複数のパラメータセットが異なるタイプのパラメータセットからなる、請求項１又は２に記載の方法。
【請求項６】
各タイプのパラメータセットネットワーク抽象化レイヤ（ＮＡＬ）単位が、前記サンプル記述中の専用のアレイに記憶される、請求項５に記載の方法。
【請求項７】
前記サンプル記述が更に、補足強化情報（ＳＥＩ）ネットワーク抽象化レイヤ（ＮＡＬ）単位を含むアレイを含む、請求項６に記載の方法。
【請求項８】
前記第１のタイプ及び前記第２のタイプは両方同じタイプであり、故に前記第１の複数のパラメータセット及び前記第２の複数のパラメータセットが同じタイプのパラメータセットを含み、前記ファイルトラックは、同じタイプの少なくとも幾つかのパラメータセットがサンプル内とサンプル記述内の両方にカプセル化され得るかどうかの指示を含む、請求項１又は２に記載の方法。
【請求項９】
前記第１の複数のパラメータセットが異なるタイプのパラメータセットからなる、請求項１又は２に記載の方法。
【請求項１０】
前記サンプル記述が、前記ビデオストリームのフレームレートと空間解像度の少なくとも１つと関連付けられる情報を含む、請求項１又は２に記載の方法。
【請求項１１】
前記ビデオストリームは複数の時間レイヤを含み、前記サンプル記述は更に、前記ビデオストリームの前記複数の時間レイヤの数の指示を含む、請求項１に記載の方法。
【請求項１２】
前記ファイルトラックが、時間レイヤに対する前記ファイルトラック中の前記サンプルの割当ての表現、及び、前記時間レイヤの各々の特性の記述を含み、前記特性記述が、時間レイヤ識別情報、プロファイル、レベル、ビットレート、及びフレームレートの少なくとも１つを含む、請求項１又は２に記載の方法。
【請求項１３】
命令を記憶したコンピュータ可読記憶媒体であって、前記命令が、実行されると、ビデオコード化装置の１つ以上のプロセッサに、請求項１乃至１２のいずれか１つの方法を実行させる、コンピュータ可読記憶媒体。
【請求項１４】
コード化ビデオコンテンツの複数のスライスを取得するための手段と、
ビデオコンテンツの前記複数のスライスと関連付けられる第１のタイプの第１の複数のパラメータセット及びビデオコンテンツの前記複数のスライスと関連する第２のタイプの第２の複数のパラメータセットを取得するための手段と、
ビデオストリームの複数のアクセス単位内にコード化ビデオコンテンツの前記複数のスライスをカプセル化するための手段と、
ファイルトラック中の複数のサンプル内に前記複数のアクセス単位をカプセル化するための手段と、
前記第１の複数のパラメータセットをカプセル化するための手段と、
前記第２の複数のパラメータセットをカプセル化するための手段と、
を備える、コード化ビデオコンテンツを含むビデオファイルを生成するように構成される装置において、
前記第１の複数のパラメータセットをカプセル化するための前記手段は前記複数のサンプル内に前記第１の複数のパラメータセットをカプセル化するように構成され、
前記第２の複数のパレメータセットをカプセル化する前記手段は前記ファイルトラックのサンプル記述内に前記第２の複数のパラメータセットをカプセル化するように構成される、装置。
【請求項１５】
複数のサンプルを含むファイルトラックを取得するための手段と、
前記ファイルトラック中のビデオストリームの前記複数のサンプルから複数のアクセス単位を逆カプセル化するための手段と、
前記複数のアクセス単位からコード化ビデオコンテンツの複数のスライスを逆カプセル化するための手段と、
ビデオコンテンツの前記複数のスライスと関連付けられる第１のタイプの第１の複数のパラメータセットを逆カプセル化するための手段と、
ビデオコンテンツの前記複数のフライスと関連する第２のタイプの第２の複数のパラメータセットを前記ファイルトラックのサンプル記述から逆カプセル化するための手段と、
を備える、コード化ビデオコンテンツを含むビデオファイルを処理するように構成される装置において、
前記第１の複数のパラメータセットを逆カプセル化するための前記手段は前記複数のサンプルから前記第１の複数のパラメータセットを逆カプセル化するように構成され、
前記第２の複数のパラメータセットを逆カプセル化するための前記手段は前記ファイルトラックのサンプル記述から前記第２の複数のパラメータセットを逆カプセル化するように構成される、装置。
【手続補正書】
【提出日】平成28年1月25日(2016.1.25)
【手続補正１】
【補正対象書類名】特許請求の範囲
【補正対象項目名】全文
【補正方法】変更
【補正の内容】
【特許請求の範囲】
【請求項１】
フェムトセルにおいてワイヤレスシステム再選択を調整するための方法であって、
前記フェムトセルによって、モバイルデバイスによる頻繁なシステム再選択を検出するステップと、
前記フェムトセルによって再選択ビーコンを送信する頻度を低減するステップと
を含む方法。
【請求項２】
前記フェムトセルで再選択ビーコンを送信するステップと、
前記再選択ビーコンの前記送信とともに行われるパイロット送信の電力を同時に増加させるステップと
をさらに含む、請求項1に記載の方法。
【請求項３】
前記フェムトセルの最小信号品質基準を低減して、前記フェムトセルのカバレージエリアを最小化するステップ
をさらに含む、請求項2に記載の方法。
【請求項４】
パイロット送信の電力を調整して、モバイルデバイスが前記フェムトセルに再選択するのを遅延させるステップ
をさらに含む、請求項1に記載の方法。
【請求項５】
前記フェムトセルによって前記パイロット送信の電力を調整するステップが、前記モバイルデバイスの速度に少なくとも部分的に基づく、請求項4に記載の方法。
【請求項６】
1つまたは複数のコロケートされたマクロセルによってブロードキャストされるような前記フェムトセルの最小信号品質基準を決定するステップと、
前記フェムトセルの前記決定された最小信号品質基準に少なくとも部分的に基づいて、パイロット送信の電力を調整するステップと
をさらに含む、請求項1に記載の方法。
【請求項７】
フェムトセルにおいてワイヤレスシステム再選択を調整するための装置であって、
モバイルデバイスによる頻繁なシステム再選択を検出するための手段と、
前記フェムトセルによって再選択ビーコンを送信する頻度を低減するための手段と
を備える装置。
【請求項８】
モバイルデバイスによる頻繁なシステム再選択を検出するための手段が、モバイルデバイス再選択調整構成要素を備え、
前記フェムトセルによって再選択ビーコンを送信する頻度を低減するための手段が、再選択ビーコン調整構成要素を備える、請求項７に記載の装置。
【請求項９】
前記フェムトセルで再選択ビーコンを送信するように構成された送信機と、
前記再選択ビーコンの前記送信とともに行われるパイロット送信の電力を同時に増加させるように構成された電力調整構成要素と
をさらに備える、請求項8に記載の装置。
【請求項１０】
前記電力調整構成要素が、
前記フェムトセルの最小信号品質基準を低減して、前記フェムトセルのカバレージエリアを最小化するようにさらに構成される、請求項9に記載の装置。
【請求項１１】
電力調整構成要素が、
パイロット送信の電力を調整して、モバイルデバイスが前記フェムトセルに再選択するのを遅延させるようにさらに構成される、請求項8に記載の装置。
【請求項１２】
前記パイロット送信の電力の前記調整が、前記モバイルデバイスの速度に少なくとも部分的に基づく、請求項11に記載の装置。
【請求項１３】
電力調整構成要素が、
1つまたは複数のコロケートされたマクロセルによってブロードキャストされるような前記フェムトセルの最小信号品質基準を決定し、
前記フェムトセルの前記決定された最小信号品質基準に少なくとも部分的に基づいて、パイロット送信の電力を調整する
ようにさらに構成される、請求項8に記載の装置。
【請求項１４】
フェムトセルにおいてワイヤレスシステム再選択を調整するためのコンピュータプログラムであって、
処理モジュールによって実行されるとき、請求項1から6のいずれか一項に記載の方法を実施するように構成されたコードを備えるコンピュータプログラム。